(57)【要約】【課題】ハーネス外装部品の在庫量が低減されるとともに、部品管理が容易となり、しかも、ハーネス外装部品の少量多品種化が容易に行えるワイヤハーネスの製造方法及びワイヤハーネスの製造装置を提供する。【解決手段】ワイヤハーネスの製造方法において、所定間隔で移送される電線をワイヤハーネスの製造ライン１７に順次供給する工程と、製造ライン１７において、合成樹脂製のコネクタハウジングを電線に取り付ける工程と、製造ライン１７において、ワイヤハーネスの種類に応じた所望形状のクランプ部を二次樹脂成形により付設してコネクタを完成させる工程と、を含む。【選択図】図１
2014072059.tif 000002
【特許請求の範囲】
【請求項１】
所定間隔で移送される電線をワイヤハーネスの製造ラインに順次供給する工程と、
前記製造ラインにおいて、合成樹脂製の外装部品本体を前記電線に取り付ける工程と、
前記製造ラインにおいて、ワイヤハーネスの種類に応じた所望形状の補助機能部を前記外装部品本体に二次樹脂成形により付設してハーネス外装部品を完成させる工程と、
を含むことを特徴とするワイヤハーネスの製造方法。
【請求項２】
前記補助機能部を前記外装部品本体に二次樹脂成形する工程が、前記外装部品本体を前記電線に取り付ける工程の前の前記製造ラインのライン上流部で行われることを特徴とする請求項１に記載のワイヤハーネスの製造方法。
【請求項３】
前記補助機能部を前記外装部品本体に二次樹脂成形する工程が、前記ワイヤハーネスがほぼ完成した前記製造ラインのライン最下流部で行われることを特徴とする請求項１に記載のワイヤハーネスの製造方法。
【請求項４】
ワイヤハーネスを構成するために順次供給される電線を所定間隔で移送する製造ラインと、
前記製造ラインに設置され、前記ワイヤハーネスの種類に応じた所望形状の補助機能部を合成樹脂製の外装部品本体に二次樹脂成形により一体成形してハーネス外装部品を完成させる二次樹脂成形機と、
を備えることを特徴とするワイヤハーネスの製造装置。
【発明の詳細な説明】
【技術分野】
【０００１】
本発明は、ワイヤハーネスの製造方法及びワイヤハーネスの製造装置に関する。
【背景技術】
【０００２】
自動車等には、搭載される種々の電子機器にバッテリなどからの電力や、制御装置からの制御信号を伝えるためのワイヤハーネスが配索されている。一般的なワイヤハーネスは、メインハーネスと、このメインハーネスから分岐されたサブハーネスとを有する。ワイヤハーネスは、工場内において、図１０に示すワイヤハーネスの製造装置５０１によって組み立てられている（例えば、特許文献１参照）。
【０００３】
この製造装置５０１は、連続的に周回する走行ベルトを有したベルトコンベア５０３と、このベルトコンベア５０３により運搬される作業台５０５と、を備える。
ワイヤハーネスの製造装置５０１は、その近傍に、メインハーネスやサブハーネスに取り付けられるコネクタや、プロテクタ、固定用クランプ等のハーネス外装部品を保管する部品箱５０７が設けられている。部品箱５０７に保管された在庫により、ハーネス外装部品の不足による製造装置５０１の作業停止を防止している。
【先行技術文献】
【特許文献】
【０００４】
【特許文献１】特開平９−１４１５２９号公報
【発明の概要】
【発明が解決しようとする課題】
【０００５】
しかしながら、上記従来のワイヤハーネスの製造装置５０１は、メインハーネスやサブハーネスに取り付けられるハーネス外装部品が不足すると、ワイヤハーネスの製造ができない。そのため、ハーネス外装部品を多く在庫する必要があり、製造装置５０１の近傍に、ハーネス外装部品を多数保管する部品箱５０７を設置しなければならない。
また、ハーネス外装部品は、ワイヤハーネスの仕様が異なる毎に異種のものを揃えなければならない場合があり、部品供給元に対し部品組付場所が遠隔地であると、部品受け渡しの都度、品番確認等が必要となり、部品管理が煩雑となる。
更に、近年、市場は多品種少量生産の傾向にあり、多品種のハーネス外装部品を少量生産しながら遠隔地への供給を管理することは、多品種少量生産の障害となった。このため、ハーネス外装部品を容易に少量多品種化したい要請がある。
【０００６】
本発明は上記状況に鑑みてなされたもので、その目的は、ハーネス外装部品の在庫量が低減されるとともに、部品管理が容易となり、しかも、ハーネス外装部品の少量多品種化が容易に行えるワイヤハーネスの製造方法及びワイヤハーネスの製造装置を提供することにある。
【課題を解決するための手段】
【０００７】
本発明に係る上記目的は、下記構成により達成される。
（１）  所定間隔で移送される電線をワイヤハーネスの製造ラインに順次供給する工程と、前記製造ラインにおいて、合成樹脂製の外装部品本体を前記電線に取り付ける工程と、前記製造ラインにおいて、ワイヤハーネスの種類に応じた所望形状の補助機能部を前記外装部品本体に二次樹脂成形により付設してハーネス外装部品を完成させる工程と、を含むことを特徴とするワイヤハーネスの製造方法。
【０００８】
上記（１）の構成のワイヤハーネスの製造方法によれば、ワイヤハーネスの製造ラインにおいて、製造するワイヤハーネスの仕様に応じた所望形状の補助機能部が外装部品本体に二次樹脂成形されて、所望の種類のハーネス外装部品となる。これにより、補助機能部を二次樹脂成形により外装部品本体に付設する工程までは、外装部品本体のみ一種の部品管理となる。そして、異なる種類のハーネス外装部品の共通部分である一種の外装部品本体を供給しながら、製造ラインに流される製造ロットごとに、外装部品本体に所望形状の補助機能部を二次樹脂成形して、その製造ロットに適合した異なる種類のハーネス外装部品を完成させることができる。
また、補助機能部と外装部品本体とを別部品として成形し、所望形状の補助機能部品と外装部品本体とを組み合わせて異なる種類のハーネス外装部品を構成する場合のように、形状の異なる補助機能部品の在庫管理が必要になることもない。
【０００９】
（２）  上記（１）の構成のワイヤハーネスの製造方法であって、前記補助機能部を前記外装部品本体に二次樹脂成形する工程が、前記外装部品本体を前記電線に取り付ける工程の前の前記製造ラインのライン上流部で行われることを特徴とするワイヤハーネスの製造方法。
【００１０】
上記（２）の構成のワイヤハーネスの製造方法によれば、補助機能部を外装部品本体に二次樹脂成形するまで、品番等の部品管理が不要となる。製造ラインを流れる特定の製造ロットのワイヤハーネスに対し、対応する補助機能部が外装部品本体に二次樹脂成形され、対応するハーネス外装部品に成形される。このため、部品管理ミスにより、誤ったハーネス外装部品を電線に取り付けてしまう取付ミスが生じない。また、ハーネス外装部品の組付作業者による二次樹脂成形が可能となる。
【００１１】
（３）  上記（１）の構成のワイヤハーネスの製造方法であって、前記補助機能部を前記外装部品本体に二次樹脂成形する工程が、前記ワイヤハーネスがほぼ完成した前記製造ラインのライン最下流部で行われることを特徴とするワイヤハーネスの製造方法。
【００１２】
上記（３）の構成のワイヤハーネスの製造方法によれば、ワイヤハーネスがほぼ完成した状態で、そのワイヤハーネスに応じた補助機能部が外装部品本体に二次樹脂成形される。これにより、ハーネス外装部品の取付ミスが生じ難くなる。ワイヤハーネスの完成段階まで、ハーネス外装部品の品番等の部品管理が不要となる。複数種の二次樹脂成形が必要な場合に、まとめて対応することができる。これにより、二次樹脂成形の効率化が可能となり、二次樹脂成形時間が短縮できる。ワイヤハーネスの完成の検査と兼ねて二次樹脂成形を行うことも可能となる。
【００１３】
（４）  ワイヤハーネスを構成するために順次供給される電線を所定間隔で移送する製造ラインと、前記製造ラインに設置され、前記ワイヤハーネスの種類に応じた所望形状の補助機能部を合成樹脂製の外装部品本体に二次樹脂成形により一体成形してハーネス外装部品を完成させる二次樹脂成形機と、を備えることを特徴とするワイヤハーネスの製造装置。
【００１４】
上記（４）の構成のワイヤハーネスの製造装置によれば、異なる形状の補助機能部に応じた複数種の金型を用意すると共に、共通の外装部品本体に所望形状の補助機能部を二次樹脂成形することで、製造ラインに供給される電線の製造ロットごとに、所望形状の補助機能部が外装部品本体に二次樹脂成形され、その製造ロットに適合した異なる種類のハーネス外装部品が形成される。そこで、その製造ロットに適合した異なる種類のハーネス外装部品が電線に取り付けられたワイヤハーネスを容易に製造することができる。
即ち、補助機能部と外装部品本体とを別部品として成形し、所望形状の補助機能部品と外装部品本体とを組み合わせて異なる種類のハーネス外装部品を構成する場合のように、複数種の補助機能部品の在庫管理が必要になることもない。
【発明の効果】
【００１５】
本発明に係るワイヤハーネスの製造方法及びワイヤハーネスの製造装置によれば、ハーネス外装部品の在庫量を低減できるとともに、部品管理を容易にすることができ、しかも、ハーネス外装部品の少量多品種化に容易に対応できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の第１実施形態に係るワイヤハーネスの製造装置を概念的に表した構成図である。
【図２】ワイヤハーネスの概略斜視図である。
【図３】（ａ）は図２に示したハーネス外装部品の全体斜視図、（ｂ）はハーネス外装部品の分解斜視図である。
【図４】図１に示した二次樹脂成形機の全体斜視図である。
【図５】（ａ）は図４に示した二次樹脂成形機の下型に外装部品本体がセットされる前の概略斜視図、（ｂ）は外装部品本体がセットされた下型と上型を示す概略斜視図である。
【図６】本発明の第２実施形態に係るワイヤハーネスの製造装置を概念的に表した構成図である。
【図７】本発明に係るハーネス外装部品の変形例を示す斜視図である。
【図８】本発明に係るハーネス外装部品の他の変形例を示す斜視図である。
【図９】本発明に係るハーネス外装部品の他の変形例を示す斜視図である。
【図１０】従来のワイヤハーネスの製造装置を概念的に表した構成図である。
【発明を実施するための形態】
【００１８】
以下、本発明に係る実施形態を図面を参照して説明する。
図１に示すように、本第１実施形態に係るワイヤハーネスの製造装置１３は、ワイヤハーネス１１（図２参照）を構成するために順次供給される電線１５を所定間隔で移送する製造ライン１７と、製造ライン１７に設置され、ワイヤハーネス１１の種類に応じた所望形状の補助機能部を合成樹脂製の外装部品本体に二次樹脂成形により一体成形してハーネス外装部品を完成させる二次樹脂成形機２１と、を備える。更に、製造ライン１７は、複数の電線１５を布線する布線板２５と、布線板２５を走行経路２７に沿って周回させる走行ベルトを有するベルトコンベア２９と、を備えている。
【００１９】
なお、本第１実施形態では、ワイヤハーネスの製造装置１３の布線板２５がベルトコンベア２９によって周回させられるものについて説明しているが、布線板２５が一方向に移動させられるものであってもよい。或いは、一台の布線板２５に対して作業者が一人または少人数でワイヤハーネス１１を組み立てていく所謂セル生産などであってもよい。
【００２０】
布線板２５は、図示しない架台を備え、工場内のフロア上に設けられている。架台は、フロア上を走行可能に車輪が設けられている。布線板２５は、上流側の工程から下流側の工程までのそれぞれに対応して複数配置されており、複数の布線板２５は、ベルトコンベア２９（正確には走行ベルト）に運搬されて所定の走行経路２７を走行する。
【００２１】
布線板２５は、上面が平坦なテーブル状に形成され、ハーネス外装部品を示す模様や、電線１５の布線パターンなどが描かれている。布線板２５は、布線パターンに沿って図示しない結き具が植設されている。結き具は、Ｕ字状に形成されており、電線１５を結くことができる。
【００２２】
ベルトコンベア２９は、輪状及び無端状になった走行ベルトと、一対のプーリ３１と、を備えており、工場内のフロア上に設けられた走行経路２７に沿って配されている。一方のプーリ３１は駆動モータの駆動軸が直結されており、他方のプーリ３１は回転自在である。走行ベルトが駆動モータの回転駆動力によって周回し、布線板２５を運搬する。但し、駆動モータは、所定のタクトに基づき走行及び停止を繰り返しながら、布線板２５を運搬する。布線板２５は、作業の進捗具合に応じて、ベルトコンベア２９を停止させたり作動させたりするボタン類が設けられている。
【００２３】
フロアには、二次樹脂成形機２１などで用いられる原材料や各種の部品などを保管するための保管部３３と、製造ライン１７によって製造されたワイヤハーネス１１を検査するための検査ライン３５と、図示しない附帯設備などが設けられている。
【００２４】
図２に示すように、ワイヤハーネス１１は、メインハーネス３７と、製造ライン１７でメインハーネス３７に取り付けられる配線用クリップ３９やワイヤハーネス用プロテクタ４１やワイヤハーネス用グロメット４３やワイヤハーネス用チューブ４５等のハーネス外装部品と、を有している。
【００２５】
メインハーネス３７は、複数のサブハーネス４７をテープ４９で巻回して固定している。サブハーネス４７は、電線束５１をテープ４９で巻回して固定している。電線束５１は、複数本の電線１５から構成されている。電線１５の端末には、ハーネス外装部品であるコネクタ５３が設けられている。
【００２６】
電線１５は、導電性の芯線と、絶縁性の被覆部とを備えている。芯線は、複数の導線が撚られて形成されている。芯線を構成する導線は、導電性の金属からなる。また、芯線は、一本の導線から構成されてもよい。被覆部は、例えば、ポリ塩化ビニル樹脂などの合成樹脂からなる。被覆部は、芯線を被覆している。
【００２７】
図３（ａ）に示すように、コネクタ５３は、電線１５の芯線と電気的に接続した端子金具（図示せず）を収容する外装部品本体であるコネクタハウジング５５と、補助機能部であるクランプ部５７とを備えている。端子金具は、導電性の板金などからなり電線１５の端部に取り付けられて電線１５の芯線と電気的に接続される。コネクタハウジング５５は、絶縁性の合成樹脂材料で箱状に一体成形されている。
【００２８】
このコネクタハウジング５５には、補助機能部であるクランプ部５７が二次樹脂成形されて付設される。この二次樹脂成形は、後述する二次樹脂成形機２１（図４参照）によって製造ライン１７において行われる。コネクタ５３は、コネクタハウジング５５が共通部分となり、クランプ部５７の形状、位置、大きさ等が異なることで、別種となる（勿論、クランプ部５７を備えないコネクタハウジング５５のみの場合も、別種のコネクタ５３とする）。従って、全ての種類に共通のコネクタハウジング５５は、従来同様の一次樹脂成形機（図示せず）によって大量に成形される。
【００２９】
図３（ｂ）に示すように、コネクタハウジング５５には、クランプ固着溝５９が形成されている。一方、二次樹脂成形によってコネクタハウジング５５に一体成形されるクランプ部５７には、固着溝係合片６１が形成される。クランプ部５７は、コネクタハウジング５５に二次樹脂成形によって一体成形される際、この固着溝係合片６１が、コネクタハウジング５５のクランプ固着溝５９にインサートされた状態に成形される。これにより、クランプ部５７が高い強度でコネクタハウジング５５に一体化されて固定される。
【００３０】
二次樹脂成形機２１は、製造ライン１７において特定の布線板２５に対応して設置されている。本第１実施形態では、コネクタハウジング５５を電線１５に取り付ける工程の前の製造ライン１７のライン上流部６３に設置されている（図１参照）。
図４に示すように、二次樹脂成形機２１は、電動機等の外部動力なしに作業員一人で操作できるマイクロ成形機であって、金型６５と、図示しない型締め装置と、金型６５に溶融樹脂を加圧注入する射出成形機６７と、から構成されている。
【００３１】
射出成形機６７は、ポリプロピレン等の合成樹脂等を加熱して溶融するヒータが設けられた加熱筒６９と、加熱筒６９内の溶融樹脂を図示しないノズルから射出するプランジャ７１と、プランジャ７１を前進させる射出シリンダ７３と、射出シリンダ７３を駆動するハンドル７５と、加熱筒６９の加熱温度を所望の温度に保持する温調器７７と、を有し、これらが台座７９に立設する支柱８１に支持されている。
【００３２】
なお、本実施形態におけるマイクロ成形機とは、一回の射出成形で成形できる樹脂の量が最大で１０ｇ程度のものであって、且つ、金型６５の型締め時に、エアシリンダまたはリンク等を用いて手動で行うことができるものをいう。従って、マイクロ成形機としての射出成形機６７は、電動機やエア等の外部動力によって射出シリンダ７３を駆動するものであってもよい。
【００３３】
金型６５は下型８３と上型８７を備えた水平割金型であって、図５（ａ）に示すように、上向きの下型８３の金型分割面には、コネクタハウジング５５の一部分が収容される外装部品本体用キャビティ８５ａと、クランプ部５７の一部分を二次樹脂成形するためのクランプ部用キャビティ８９ａとが設けられている。この下型８３の金型分割面の対面には、コネクタハウジング５５の残り部分が収容される外装部品本体用キャビティ８５ｂと、クランプ部５７の残り部分を二次樹脂成形するためのクランプ部用キャビティ８９ｂとを備えた上型８７が配置されている。
図５（ｂ）に示すように、下型８３と上型８７の金型分割面には、クランプ部用キャビティ８９ａ及び８９ｂと射出成形機６７のノズルとを連通させるゲート９０が設けられている。
【００３４】
即ち、金型６５は、下型８３と上型８７が合わせられることで、外装部品本体用キャビティ８５ａ及び８５ｂにセットしたコネクタハウジング５５と、クランプ部用キャビティ８９ａ及び８９ｂとでクランプ部５７を成形する成形空間を形成することができる。そして、この成形空間にゲート９０から溶融樹脂を射出することで、クランプ部５７がコネクタハウジング５５に一体化されたコネクタ５３を一体成形できる。
【００３５】
金型６５を型締めした際のクランプ部用キャビティ８９ａ及び８９ｂの容量（成形空間の容量）は、数ｃｍ3となっている。なお、本第１実施形態では、金型６５が水平割金型のものについて説明したが、垂直割金型であってもよい。
【００３６】
次に、上記構成を有するワイヤハーネスの製造装置１３の作用を説明する。
ワイヤハーネスの製造装置１３では、異なる形状のクランプ部５７に応じた複数種の金型６５を用意すると共に、共通のコネクタハウジング５５に所望形状のクランプ部５７を二次樹脂成形することで、製造ライン１７に供給される電線１５の製造ロットごとに、所望形状のクランプ部５７がコネクタハウジング５５に二次樹脂成形され、その製造ロットに適合した異なる種類のコネクタ５３が形成される。そこで、その製造ロットに適合した異なる種類のコネクタ５３が電線１５に取り付けられたワイヤハーネス１１を容易に製造することができる。
即ち、クランプとコネクタハウジングとを別部品として成形し、所望形状のクランプ（補助機能部品）とコネクタハウジング本体とを組み合わせて異なる種類のコネクタを構成する場合のように、複数種のクランプの在庫管理が必要になることもない。
【００３７】
次に、上記第１実施形態に係るワイヤハーネスの製造装置１３を用いたワイヤハーネス１１の製造方法を説明する。
ワイヤハーネス１１を製造するには、所定間隔で移送される電線１５をワイヤハーネス１１の製造ライン１７の上流側に順次供給する。ワイヤハーネスの製造装置１３は、上流側から下流側までの各作業工程に対応して作業員（図示せず）が複数配置される。複数の作業員は、同時にそれぞれに割り当てられた作業を行う。
【００３８】
ベルトコンベア２９の走行ベルトは図１において左回転しており、上流側の作業員によって配索作業が行われ、続いて下流側の作業員によってテープ巻き作業が行われる。
次いで、二次樹脂成形機２１の金型６５が型締めされ、溶融樹脂がゲート９０から金型６５のクランプ部用キャビティ８９ａ及び８９ｂに加圧注入され、ワイヤハーネス１１が配索される自動車等のパネルの孔に係止可能なクランプ部５７を一体化されたコネクタ５３が形成される。
【００３９】
次いで、クランプ部５７を二次樹脂成形されたコネクタ５３がワイヤハーネス１１に取り付けられる。続いて、布線板２５では、作業員により、所要形態に布線され且つ配線用クリップ３９のバンド部により結束された複数本の電線１５の周囲がテープ４９で巻回され、サブハーネス４７が形成される。次いで、配線用クリップ３９や、ワイヤハーネス用チューブ４５や、ワイヤハーネス用グロメット４３や、ワイヤハーネス用プロテクタ４１等のハーネス外装部品がメインハーネス３７の所定の位置に取り付けられ、ワイヤハーネス１１が形成される。ワイヤハーネス１１は、作業員により布線板２５から取り外され、外観検査や回路検査等の次工程に送られる。
【００４０】
このように、本第１実施形態に係るワイヤハーネス１１の製造方法は、製造ライン１７において、ワイヤハーネス１１の種類に応じた所望形状のクランプ部５７をコネクタハウジング５５に二次樹脂成形により付設してコネクタ５３を完成させる。そして、製造ライン１７の外装部品組付工程２３において、完成したコネクタ５３を電線１５に取り付ける。つまり、クランプ部５７を二次樹脂成形する工程は、コネクタ５３を電線１５に取り付ける工程の前のライン上流部６３で行う。
【００４１】
このワイヤハーネス１１の製造方法では、ワイヤハーネス１１の製造ライン１７において、製造するワイヤハーネス１１の仕様に応じた所望形状のクランプ部５７がコネクタハウジング５５に二次樹脂成形されて、所望の種類のコネクタ５３となる。これにより、クランプ部５７を二次樹脂成形によりコネクタハウジング５５に付設する工程までは、コネクタハウジング５５のみ一種の部品管理となる。そして、異なる種類のコネクタ５３の共通部分である一種のコネクタハウジング５５を供給しながら、製造ライン１７に流される製造ロットごとに、コネクタハウジング５５に所望形状のクランプ部５７を二次樹脂成形して、その製造ロットに適合した異なる種類のコネクタ５３を完成させることができる。
【００４２】
そして、クランプ部５７をコネクタハウジング５５に二次樹脂成形する工程が、コネクタ５３を電線１５に組み付ける外装部品組付工程２３の前の製造ライン１７のライン上流６４で行われる本第１実施形態のワイヤハーネス１１の製造方法では、クランプ部５７をコネクタハウジング５５に二次樹脂成形するまで、品番等の部品管理が不要となる。製造ライン１７を流れる特定の製造ロットのワイヤハーネス１１に対し、対応するクランプ部５７がコネクタハウジング５５に二次樹脂成形され、対応するコネクタ５３が成形される。このため、部品管理ミスにより、誤ったコネクタ５３を電線１５に取り付けてしまう取付ミスが生じない。また、コネクタ５３の組付作業者による二次樹脂成形が可能となる。
【００４３】
次に、本発明の第２実施形態に係るワイヤハーネス１１の製造方法について説明する。
図１に示した上記第１実施形態に係るワイヤハーネス１１の製造方法では、二次樹脂成形機２１が、コネクタ５３を電線１５に取り付ける外装部品組付工程２３の前の製造ライン１７のライン上流部６３に設置されていた。これに対し、図６に示した本第２実施形態に係るワイヤハーネス１１の製造方法では、二次樹脂成形機２１が、製造ライン１７のライン最下流部９１に設置されている。即ち、クランプ部５７をコネクタハウジング５５に二次樹脂成形する工程が、ワイヤハーネス１１がほぼ完成した製造ライン１７のライン最下流部９１で行われる。
【００４４】
本第２実施形態に係るワイヤハーネス１１の製造方法では、ワイヤハーネス１１の製造最終段階で、ワイヤハーネス１１がほぼ完成した状態で、そのワイヤハーネス１１に応じたクランプ部５７がコネクタハウジング５５に二次樹脂成形される。これにより、コネクタ５３の取付ミスが生じ難くなる。ワイヤハーネス１１の完成段階まで、コネクタ５３の品番等の部品管理が不要となる。複数種の二次樹脂成形が必要な場合に、まとめて対応することができる。これにより、二次樹脂成形の効率化が可能となり、二次樹脂成形時間が短縮できる。ワイヤハーネス１１の完成の検査と兼ねて二次樹脂成形を行うことも可能となる。
【００４５】
なお、本発明のワイヤハーネスの製造方法及びワイヤハーネスの製造装置に係るハーネス外装部品は、上記コネクタ５３に限定されるものではなく、種々のハーネス外装部品に適用できることは勿論である。
次に、本発明のワイヤハーネスの製造方法及びワイヤハーネスの製造装置に適用されるハーネス外装部品の変形例について説明する。
【００４６】
図７に示したハーネス外装部品は、外装部品本体がリブ付コネクタ本体９３（図７（ａ）参照）とされ、補助機能部が端側リブ９５（図７（ｂ）参照）や、中央側リブ９９（図７（ｃ）参照）であるリブ付コネクタ９７である。この様な端側リブ９５や中央側リブ９９は、相手コネクタ（図示せず）との結合時の嵌合用ガイドや、結合方向の規制（誤嵌合防止）、がたつき防止として機能するものであり、相手コネクタによって成形位置や形状が異なる場合がある。
【００４７】
即ち、図７に示したリブ付コネクタ９７の場合は、相手コネクタに応じた所望形状の端側リブ９５や中央側リブ９９がリブ付コネクタ本体９３に二次樹脂成形されて、所望の種類のリブ付コネクタ９７となる。これにより、端側リブ９５や中央側リブ９９を二次樹脂成形によりリブ付コネクタ本体９３に付設する工程までは、リブ付コネクタ本体９３のみ一種の部品管理となる。そして、異なる種類のリブ付コネクタ９７の共通部分である一種のリブ付コネクタ本体９３を供給しながら、製造ライン１７に流される製造ロットごとに、リブ付コネクタ本体９３に所望の端側リブ９５や中央側リブ９９を二次樹脂成形して、その製造ロットに適合した異なる種類のリブ付コネクタ９７を完成させることができる。
【００４８】
従って、上述したコネクタ５３の場合と同様に、リブ付コネクタ本体９３を電線１５に組み付ける外装部品組付工程２３の前に端側リブ９５や中央側リブ９９をリブ付コネクタ本体９３に二次樹脂成形により付設してリブ付コネクタ９７を完成させるワイヤハーネス１１の製造方法では、端側リブ９５や中央側リブ９９を二次樹脂成形するまで、品番等の部品管理が不要となる。製造ライン１７を流れる特定の製造ロットのワイヤハーネス１１に対し、対応する端側リブ９５や中央側リブ９９がリブ付コネクタ本体９３に二次樹脂成形され、対応するリブ付コネクタ９７が成形される。このため、部品管理ミスにより、誤ったリブ付コネクタ９７を電線１５に取り付けてしまう取付ミスが生じない。
【００４９】
図８（ａ）に示したハーネス外装部品は、外装部品本体がプロテクタ本体１１０、補助機能部が固定用クランプ１１２であるクランプ付プロテクタ１０８である。例えば、図８（ｂ）に示す従来のクランプ付プロテクタ１０５では、固定用クランプ１０１がワイヤハーネス１１の仕様に応じた位置や向き、大きさや形状のものとされ、結束バンド１０３によってプロテクタ１０９に取り付けられていた。
【００５０】
即ち、図８（ａ）に示したクランプ付プロテクタ１０８の場合は、ワイヤハーネス１１の仕様に応じた所望形状の固定用クランプ１１２がプロテクタ本体１１０に二次樹脂成形されて、所望の種類のクランプ付プロテクタ１０８となる。これにより、固定用クランプ１１２を二次樹脂成形によりプロテクタ本体１１０に付設する工程までは、プロテクタ本体１１０のみ一種の部品管理となる。そして、異なる種類のクランプ付プロテクタ１０８の共通部分である一種のプロテクタ本体１１０を供給しながら、製造ライン１７に流される製造ロットごとに、プロテクタ本体１１０に所望の固定用クランプ１１２を二次樹脂成形して、その製造ロットに適合した異なる種類のクランプ付プロテクタ１０８を完成させることができる。
【００５１】
従って、クランプ付プロテクタ１０８を電線１５に組み付ける外装部品組付工程２３の前に固定用クランプ１１２をプロテクタ本体１１０に二次樹脂成形により付設してクランプ付プロテクタ１０８を完成させるワイヤハーネス１１の製造方法では、固定用クランプ１１２を二次樹脂成形するまで、品番等の部品管理が不要となる。製造ライン１７を流れる特定の製造ロットのワイヤハーネス１１に対し、対応する固定用クランプ１１２がプロテクタ本体１１０に二次樹脂成形され、対応するクランプ付プロテクタ１０８が成形される。このため、部品管理ミスにより、誤ったクランプ付プロテクタ１０８を電線１５に取り付けてしまう取付ミスが生じない。
【００５２】
図９に示したハーネス外装部品は、外装部品本体が防水コネクタハウジング１１７（図９（ａ）参照）とされ、補助機能部がダミー防水栓１１５（図９（ａ），（ｂ）参照）である防水コネクタ１１３である。この様なダミー防水栓１１５は、相手コネクタ（図示せず）との結合時に不要となる電線導出孔１１１に挿入されて防水性を高めるもので、相手コネクタによって挿入位置が異なる場合がある。例えば、従来の防水コネクタでは、結合時に不要となる電線導出孔１１１にゴム栓を挿入して対応していた。
【００５３】
即ち、図９に示した防水コネクタ１１３の場合は、相手コネクタに応じた所定位置の電線導出孔１１１にダミー防水栓１１５が二次樹脂成形されて、所望の種類の防水コネクタ１１３となる。これにより、ダミー防水栓１１５を二次樹脂成形により防水コネクタハウジング１１７の電線導出孔１１１に付設する工程までは、防水コネクタハウジング１１７のみ一種の部品管理となる。そして、異なる種類の防水コネクタ１１３の共通部分である一種の防水コネクタハウジング１１７を供給しながら、製造ライン１７に流される製造ロットごとに、防水コネクタハウジング１１７の所望の電線導出孔１１１にダミー防水栓１１５を二次樹脂成形して、その製造ロットに適合した異なる種類の防水コネクタ１１３を完成させることができる。
【００５４】
従って、防水コネクタ１１３を電線１５に組み付ける外装部品組付工程２３の前にダミー防水栓１１５を防水コネクタハウジング１１７の電線導出孔１１１に二次樹脂成形により付設して防水コネクタ１１３を完成させるワイヤハーネス１１の製造方法では、ダミー防水栓１１５を二次樹脂成形するまで、品番等の部品管理が不要となる。製造ライン１７を流れる特定の製造ロットのワイヤハーネス１１に対し、ダミー防水栓１１５が防水コネクタハウジング１１７の対応する電線導出孔１１１に二次樹脂成形され、対応する防水コネクタ１１３が成形される。このため、部品管理ミスにより、誤った防水コネクタ１１３を電線１５に取り付けてしまう取付ミスが生じない。
【００５５】
従って、本実施形態に係るワイヤハーネス１１の製造方法及びワイヤハーネスの製造装置１３によれば、ハーネス外装部品であるコネクタ５３、リブ付コネクタ９７、クランプ付プロテクタ１０８及び防水コネクタ１１３等の在庫量を低減できるとともに、部品管理を容易にすることができ、しかも、ハーネス外装部品の少量多品種化に容易に対応できる。
【００５６】
なお、本発明のワイヤハーネスの製造方法及びワイヤハーネスの製造装置は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
例えば、上記実施形態においては、ワイヤハーネスの製造装置１３の製造ライン１７に二次樹脂成形機２１を設置した例を説明したが、図１に想像線で示したように、製造ライン１７近傍のサイドライン１９に二次樹脂成形機２１を設置し、このサイドライン１９において所望形状の補助機能部を外装部品本体に二次樹脂成形により付設してハーネス外装部品を完成させてもよい。
【符号の説明】
【００５７】
１１…ワイヤハーネス
１３…ワイヤハーネスの製造装置
１５…電線
１７…製造ライン
２１…二次樹脂成形機
２３…外装部品組付工程
５３…コネクタ（ハーネス外装部品）
５５…コネクタハウジング（外装部品本体）
５７…クランプ部（補助機能部）
６３…ライン上流部
９１…ライン最下流部
【図１】
2014072059.tif 000003
【図２】
2014072059.tif 000004
【図３】
2014072059.tif 000005
【図４】
2014072059.tif 000006
【図５】
2014072059.tif 000007
【図６】
2014072059.tif 000008
【図７】
2014072059.tif 000009
【図８】
2014072059.tif 000010
【図９】
2014072059.tif 000011
【図１０】
2014072059.tif 000012